(57)【要約】 【課題】本発明は錠剤を収納し、設定した個数分だけ取出すことができ、且つ多種類の錠剤を収納し、設定した各錠剤の個数分だけ取出すことが可能となる錠剤用ケースを提供することを目的とする。【解決手段】ケース本体１の取出口11に、錠剤の設定した個数分だけ収納室12から落下可能な落下室13を設け、ケース本体１の上部に透明なスライド蓋２を設け、そのスライド蓋２の先端が、直角に折曲させた掻き片21を設ける構造とする。またケース本体１の取出口11と反対側の端部上辺に切欠溝14を設け、ケース本体１を複数並列させたものとしても良く、更にケース本体１の収納室12を、取出口11側へ行くに従って狭く形成したものや、ケース本体１の収納室12の底部をスライド可能にしたものにすると良い。【選択図】図１
2006000534.tif 000002
【特許請求の範囲】
【請求項１】
ケース本体(１)の取出口（11）に、錠剤の設定した個数分だけ収納室(12)から落下可能な落下室(13)を設け、前記ケース本体(１)の上部にスライド蓋(２)を設け、該スライド蓋(２)の先端が、直角に折曲させた掻き片（21）を設けたことを特徴とする錠剤用ケース。
【請求項２】
前記ケース本体(１)の取出口（11）と反対側の端部上辺に、前記スライド蓋(２)をガイドさせるための切欠溝（14）が設けられた請求項１記載の錠剤用ケース。
【請求項３】
前記ケース本体(１)が複数並列された請求項１又は２記載の錠剤用ケース。
【請求項４】
前記ケース本体(１)の収納室(12)が、前記取出口（11）側へ行くに従って狭く形成された請求項１又は２記載の錠剤用ケース。
【請求項５】
前記ケース本体(１)の収納室(12)の底部（12a）が、スライド可能である請求項１、２又は３記載の錠剤用ケース。
【請求項６】
前記スライド蓋(２)の表面に突部（22）を設けた請求項１記載の錠剤用ケース。
【請求項７】
前記スライド蓋(２)が透明である請求項１又は６記載の錠剤用ケース。
【発明の詳細な説明】
【技術分野】
【０００１】
本発明は錠剤を収納し、設定した個数分の錠剤を取出すことが出来る錠剤用ケースに関する。
【背景技術】
【０００２】
一般に病院などで渡される内服薬は１日に数回に分けて服用するように処方されている場合が多く、且つ複数種類の錠剤を服用しなければならない場合も多くある。この錠剤を服用する際、種類によって服用回数や個数が異なる。又、特に高齢者に於いては目，鼻，口，耳或いは、内臓関係などの多くの病気に罹る場合が多く、病気毎に薬の種類や服用回数及び個数が異なるため、服用時に薬を間違え易く、且つ飲み忘れることが多くなっているのが現状である。このため、服用の回数、例えば、３回の食後，寝る前，朝晩など２回〜４回が一般的であり、服用時の１回分ずつ区分して予め１つにまとめ、数日分を袋や収納箱などの内部に入れておくことが多く行われているが、この準備には手間が多く掛かっているのが現状である。
【０００３】
尚、錠剤を一定単位で送り出せるようにし、且つ服用日や服用回数が確認できる錠剤包装シートの収納ケースが、実開平６−２７６４６号で提案されている。これは円形状シートの周縁に一定ピッチで順次密封した医薬品の錠剤包装シートの錠剤用である。この使用方法は、回転可能に嵌着される回転盤の外周縁に設けた識別記号を、１文字分時計周りに進めると、取出口中央に錠剤が停止し露出され、取出しが容易に行うことが出来ものであった。
【特許文献１】実開平６−２７６４６号公報
【発明の開示】
【発明が解決しようとする課題】
【０００４】
しかしながら実開平６−２７６４６号は、円形状に錠剤を密封した医薬品は１種類であり、多種類の錠剤を服用する場合には、その数に応じた個数の円盤状の収納ケースが必要となり、その都度、各回転盤の外周縁に設けた識別記号を、１文字分時計周りに進めて取出口中央から錠剤を取出さなければならず、面倒であった。しかも円形状シートの周縁に一定ピッチで順次密封した医薬品は特殊であり、一般の病院で渡される薬としては余り見かけないものであった。更に一般的な縦横に錠剤を密封した短冊状のものやまとめて袋或いは瓶に入れられた錠剤には使用できないものであった。
【０００５】
本発明は錠剤を収納し、設定した個数分だけ取出すことが出来る錠剤用ケースを提供することを目的とする。
【０００６】
本発明の他の目的は多種類の錠剤を収納し、設定した各錠剤の個数分だけ取出すことが出来ると共に携帯用に適した錠剤用ケースを提供するにある。
【課題を解決するための手段】
【０００７】
本発明は上記現状に鑑み成されたものであり、つまり、ケース本体の取出口に、錠剤の設定した個数分だけ収納室から落下可能な落下室を設け、ケース本体の上部にスライド蓋を設け、そのスライド蓋の先端が、直角に折曲させた掻き片を設ける構造とする。またケース本体の取出口と反対側の端部上辺に切欠溝を設け、ケース本体を複数並列させると良く、更にケース本体の収納室を、取出口側へ行くに従って狭く形成したものや、ケース本体の収納室の底部をスライド可能にしたもの、或いはスライド蓋の表面に突部を設け、そのスライド蓋を透明にすると良い。尚、本発明で言う「錠剤」は１個ずつ服用する薬を指し、カプセル剤も含むものとする。
【発明の効果】
【０００８】
請求項１のようにケース本体(１)の取出口（11）に、錠剤の設定した個数分だけ収納室(12)から落下可能な落下室(13)を設け、ケース本体(１)の上部にスライド蓋(２)を設け、そのスライド蓋(２)の先端が、直角に折曲させた掻き片（21）を設けることにより、錠剤を収納し、設定した個数分だけを極めて簡単に取出すことが出来るものとなる。又、このケース本体(１)に薬或いは栄養補助食品の錠剤を予め収納した商品として販売することも可能となる。
【０００９】
請求項２のようにケース本体(１) の取出口（11）と反対側の端部上辺に、スライド蓋(２)をガイドさせるための切欠溝（14）を設けることにより、スライド蓋(２)のスライドがスムーズに行え、錠剤の取出しが容易となる。
【００１０】
請求項３に示すようにケース本体(１)を複数並列させることにより、複数種類の薬を服用する場合に、服用量の１回分を収納室(12)から落下室(13) へ落下させて、それを取出して服用することが可能になるため、多種類の錠剤の服用忘れや薬の飲み間違え等がなくなり、高齢者が本発明品を使用すれば重宝なものとなる。また各収納室(12)に、風邪薬，胃腸薬，腹痛薬，頭痛薬，栄養補助食品などの錠剤を入れておき、出張や外出の多いサラリーマンなどが前記本発明品を携帯すれば、いつでも必要に応じて各錠剤を取出して服用できるものとなる。
【００１１】
請求項４に示すようにケース本体(１)の収納室(12)を、取出口（11）側へ行くに従って狭く形成することにより、多数の錠剤を収納しても、所定個数だけを毎回取出すことが可能となるので、薬の服用が簡単になり、薬の飲み忘れや誤飲等が防止できるものとなる。又、前記ケース本体(１)の収納室(12)に薬や栄養補助食品などの錠剤を予め収納した商品として販売することも可能となる。
【００１２】
請求項５のようにケース本体(１)の収納室(12)の底部（12a）をスライド可能にすることにより、錠剤の取出し設定個数が調節できるものとなるため、従来の如き服用時の１回分ずつ区分して予め１つにまとめ、数日分を袋や収納箱などの内部に入れておく必要がなくなり、この準備の手間が掛からず、しかもケース本体(１)が複数並列されたものを使用すれば、複数種類の薬を服用する場合に、服用量の１回分を高齢者でも簡単に取出して服用することが可能となり、多種類の錠剤の服用忘れや薬の飲み間違え等がなくなるものとなる。
【００１３】
請求項６のようにスライド蓋(２)の表面に突部（22）を設けることにより、開閉が容易になり、錠剤の取出しがスムーズに行えるものとなる。
【００１４】
請求項７に示すようにスライド蓋(２)を透明にすることにより、中身が確認できるため、飲み間違いが防止できると共に錠剤の管理状態も外部から確認できるものとなる。
【発明を実施するための最良の形態】
【００１５】
図１、図２は本発明の基本形の実施形態を示す図であり、これについて説明する。（１）は箱状で合成樹脂製の錠剤用のケース本体であり、該ケース本体(１)の取出口（11）に、錠剤の設定した個数分だけ収納室(12)から落下可能な落下室(13)を設け、ケース本体(１) の取出口（11）と反対側の端部上辺には、後述するスライド蓋(２)をガイドさせるための切欠溝（14）が設けられている。尚、前記ケース本体(１)の材質は上記記載の合成樹脂に限定されるものではない。（２）はケース本体(１)の上部に設けた透明な合成樹脂製のスライド蓋であり、該スライド蓋(２)の先端には直角に折曲させた掻き片（21）が設けられ、後端の表面には突部（22）が設けられている。尚、前記スライド蓋(２)の掻き片（21）は直角が好ましいが、錠剤を掻き戻すことが出来れば、９０度以外の角度にしても良い。また前記スライド蓋(２)の材質は上記記載の透明な合成樹脂に限定されるものではなく、透明でない場合には、その表面に中身を明記したステッカーなどを貼り付けて使用するものとしても良い。更に目の不自由な人のために、前記スライド蓋(２)の表面に点字等を設けても良い。又、前記落下室(13)の広さを錠剤３個分の広さに確保し、スペーサーとして、錠剤1個分相当のものを2個用意しておくことにより、設定個数が１個〜３個に調節可能なものとしても良い。
【００１６】
図３は本発明の実施形態のケース本体が複数並列され一体化した構造のものであり、これについて説明する。このケース本体(１)の内部には、５つに仕切られた収納室(12)を有しており、各収納室(12)の上部には透明なスライド蓋(２)を設けている。つまり、手前から４つの収納室(12)は同じ幅であり、同幅のスライド蓋(２)が４つ用意され、奥の収納室(12)は幅広でカプセルなどを収納するのに適し、その上には、幅広のスライド蓋(２)が１つ用意されている。又、４つの収納室(12)は手前から２つまでの落下室(13)には錠剤が１個分落下可能であり、３つ目の落下室(13)には錠剤が２個分落下可能で、４つ目の落下室(13)には錠剤が３個分落下可能であり、更に５つ目の落下室(13)にはカプセル剤が１個分落下可能である。尚、この落下室(13)に錠剤が落下可能な個数は上記に限定されるものではない。この時、図５に示すようにケース本体(１)の収納室(12)の底部（12a）がスライド可能な構造とすることにより、錠剤の取出し設定個数が調節できるものとなる。この構造としては、各収納室(12)の底部（12a）がスライド可能とし、ケース本体(１)の後端側には、底部（12a）がスライド可能な穴を有している。また前記底部（12a）の後端表面には、錠剤の設定数を表示した個数表示部（12b）が設けられ、更に前記底部（12a）の後端下面には、指引掛用の突起（12c）を設けておくと良い。又、前記収納室(12)は縦長な形状のものと、取出口（11）側へ行くに従って狭くなる形状のものを合体させたものとしても良い。
【００１７】
図４は本発明の実施形態の収納室に多数の錠剤が収納できる構造を示す図であり、その構造を図に基づいて説明する。ケース本体(１)は箱形状の合成樹脂製である。前記ケース本体(１)の収納室(12)の形状は、取出口（11）側へ行くに従って狭くなるように形成された台形状に形成し、その一番鋭角な頂角部に取出口（11）に連通して形成されている。また収納室(12)の取出口（11）側には略三角状の突起部があり、この突起部の高さは、その上面にスライド蓋(２)を設けた際に、該スライド蓋(２)の上面がケース本体(１)の上辺と略面一になるような高さにすると良い。前記ケース本体(１)の取出口（11）と反対側の端部上辺には、スライド蓋(２)をガイドさせるための切欠溝（14）が設けられている。次にスライド蓋(２)の形状はケース本体(１)と略同じ形状であり、透明な樹脂製である。また前記スライド蓋(２)の先端の一部には、落下室(13)の上部で掻き取るための掻き片（21）が直角に折曲されて設けられ、前記スライド蓋(２)の後端の表面には突部（22）が設けられている。尚、前記突部（22）は後端全辺に設けなくても良く、中央に一部だけ設けたものとしても良い。また前記突部（22）は後端に限らず、操作し易い適宜な表面位置に設けても良い。更に前記落下室(13)の大きさは、錠剤が横に並ぶようにし、且つ仕切を設けておくことにより、同時に設定数の錠剤が取出されるものとなる。
【００１８】
次に本発明の使用方法を図２に基づいて説明する。予めケース本体(１)の収納室(12)に錠剤を収納しておく。尚、この時、包装シートに密封した錠剤は予め包装シートから出してケース本体(１)に収納する。先ずケース本体(１)を取出口（11）側へ傾ける。そしてスライド蓋(２)を図中の矢印のようにスライドさせる。この時、収納室(12)から落下室(13)へ錠剤が落ち、設定個数の錠剤の上部にあった錠剤はスライド蓋(２)の掻き片（21）によって、収納室(12)に戻され、取出口（11）が開かれる。その後、ケース本体(１)を傾斜或いは反転させ、取出口（11）から設定個数の錠剤を取出せば良い。錠剤を取出した後、スライド蓋(２)を元の位置に戻す。つまり、掻き片（21）の先端がケース本体(１)の内壁に当接して取出口（11）は閉じられるのである。次に図３に示す本発明品の使用方法について説明する。予め各収納室(12)に錠剤を収納しておく。先ずケース本体(１)を取出口（11）側へ傾ける。そして各スライド蓋(２)を上記同様にスライドさせる。この時、各収納室(12)から落下室(13)へ錠剤が落ち、設定個数の錠剤の上部にあった錠剤は各スライド蓋(２)の掻き片（21）によって、各収納室(12)に戻され、各取出口（11）が開かれる。その後、ケース本体(１)を傾斜或いは反転させ、各取出口（11）から設定の個数の錠剤を取出せば良い。錠剤を取出した後、各スライド蓋(２)を元の位置に戻す。尚、この時、各収納室(12)に収納した錠剤が1回分の服用個数に合致していれば良いが、服用毎に飲む錠剤の種類が異なる場合があるため、必要に応じてスライド蓋(２)をスライドさせ、収納室(12)から必要な錠剤を取出すのが好ましい。取出し後、各スライド蓋(２)を元の位置に戻し、ケース本体(１)の取出口（11）を閉じれば良い。
【００１９】
特に、図１や図３に示す本発明品を使用する場合には、図５に示す構造のものを使用すると良い。この使用方法について詳細に説明する。先ず使用する人の服用錠数に合せ、落下室(13)の広さを調節する。つまり、前記収納室(12)の底部（12a）の後端下面に設けた突起（12c）を指に当て、その底部（12a）を図中の右側へ引出す。この時、底部（12a）の表面に表示して個数表示部（12b）の数を見て、ケース本体(１)の右端面と前記個数表示部（12b）の基準線を合せることにより、取出口（11）の広さが所定個数に決められるのである。このようにして各取出口（11）を所定個数に設定しておくと良い。又、図４に示す本発明品の使用方法について説明する。予め収納室(12)に錠剤を収納しておく。先ずケース本体(１)を取出口（11）側へ傾ける。そしてスライド蓋(２)を上記同様にスライドさせる。この時、収納室(12)から落下室(13)へ設定された１個分の錠剤が落ち、その錠剤の上部にあった錠剤はスライド蓋(２)の掻き片（21）によって、収納室(12)に戻されると共に取出口（11）が開かれる。その後、ケース本体(１)を傾斜或いは反転させ、取出口（11）から錠剤を取出せば良い。錠剤を取出した後、スライド蓋(２)を元の位置に戻し、取出口（11）が閉められるのである。
【産業上の利用可能性】
【００２０】
本発明の収納室(12)にビタミン剤や栄養補助剤などの錠剤を収納したものとして、販売商品を提供しても良い。
【図面の簡単な説明】
【００２１】
【図１】本発明の実施形態の一部を切欠いた斜視図である。
【図２】本実施形態の縦断面を示す説明図である。
【図３】本実施形態のケース本体が複数並列され一体化した構造の要部部品を示す斜視図である。
【図４】本実施形態の収納室に多数の錠剤が収納できる構造の要部部品を示す斜視図である。
【図５】錠剤の設定個数が可変可能な構造を示す縦断面である。
【符号の説明】
【００２２】
１  ケース本体
11  取出口
12  収納室
12a  底部
13  落下室
14  切欠溝
２  スライド蓋
21  掻き片
22  突部
【図１】
2006000534.tif 000003
【図２】
2006000534.tif 000004
【図３】
2006000534.tif 000005
【図４】
2006000534.tif 000006
【図５】
2006000534.tif 000007